(57)【要約】【課題】手首の返しが滑らかで、使い勝手が良好な剣道用小手を提供する。【解決手段】手が挿入される小手頭１２ａと手の内１２ｂとからなるころも部１２と、小手頭に連設し下部側を開放した筒部１３と、筒部に連設し開放した下部側を小手紐２２で結ぶようにした小手筒１４とからなる剣道用小手１１であって、筒部には、周回りに沿って飾り糸で縫止した２本の手首飾り部１８が形成されており、手首飾り部は、表側を形成する表張材と裏側を形成する裏張材との間の緩衝材を薄めに充填して、又は充填しないで飾り糸で縫止したことである。【選択図】図２
0003202223.tif 000002
【実用新案登録請求の範囲】
【請求項１】
手が挿入される小手頭と手の内とからなるころも部と、前記小手頭に連設し下部側を開放した筒部と、該筒部に連設し開放した下部側を小手紐で結ぶようにした小手筒とからなる剣道用小手であって、
前記筒部には、周回りに沿って飾り糸で縫止した２本又は複数本の手首飾り部が形成されており、
該手首飾り部は、表側を形成する表張材と裏側を形成する裏張材との間の緩衝材を薄めに充填して又は充填しないで前記飾り糸で縫止したこと
を特徴とする剣道用小手。
【請求項２】
前記手首飾り部同士の間は、前記表張材と前記裏張材との間に前記緩衝材が充填されて膨出して形成されること
を特徴とする請求項１に記載の剣道用小手。
【考案の詳細な説明】
【技術分野】
【０００１】
本考案は、剣道用小手に関するものであり、更に詳しくは、手首の返しが滑らかで、使い勝手が良好な剣道用小手に関するものである。
【背景技術】
【０００２】
図４に示すように、従来の剣道用小手１は、手を入れるころも部２と、ころも部２に連設されて肉厚に形成されたけら５と、けら５に連設されて手首の周囲を覆う筒部３と、筒部３に連設されて前腕を覆う小手筒４とから構成されている（特許文献１参照）。
【０００３】
ころも部２は、手が挿入される小手頭２ａと手の内２ｂとからなり、小手頭２ａはその表面が牛革又は鹿革で覆われていると共に、内部には鹿毛、羊毛などの獣毛、又はフエルトなどの緩衝材が充填されている。手の内２ｂはころも部２の内側（掌側）に牛革又は鹿革が張設されて形成されている。
【０００４】
けら５は、ころも部２の後端部と一体に縫着されており、その内部に緩衝材が充填されて膨出した状態に形成されている。
【０００５】
筒部３は、けら５の後端部と一体に縫着されており、手の甲あるいは手首の周囲を覆う適宜長さを有し、その内部に緩衝材が充填されて肉厚に形成されており、下部側を開放している。また、この筒部３には、長手方向に沿って所定間隔を持って飾り部６が設けられている。
【０００６】
飾り部６は、筒部３の周囲にほぼ並列的に８個の飾りが刺繍されており、２本の糸で刺繍する縄飾り、糸が３本の三つ飾り、糸が４本の四つ飾り、の何れかで刺繍される。
具体的には、筒部３の開放部分を除く周回りの長さＤが約２０ｃｍであるのに対して、刺繍の長さＬが約２〜２．５ｃｍ、幅Ｗが約７ｍｍであり、このような刺繍を８個ほぼ並列的に施してある。
このような飾り部６は、装飾を兼ねて、手首が収まる位置の筒部３への打突の衝撃に耐えてかつ手首の動きを抑制する機能を備えている。
【０００７】
小手筒４は、筒部３の後端部と一体に縫着されており、前腕を覆う適宜長さを有し、その内部には毛布、綿、又はグラスファイバーなどの緩衝材が収納されて肉厚に形成され、外側を木綿で包んで刺し子４ａが施されている。また、下部側を開放して、この開放した部分を小手紐７で結んだ構成になっている。
【先行技術文献】
【特許文献】
【０００８】
【特許文献１】特開２００８−１４８９８５号公報
【考案の概要】
【考案が解決しようとする課題】
【０００９】
この従来例の剣道用小手１においては、上述のように筒部３の周囲に８個の刺繍からなる飾り部６が設けられている。この飾り部６の存在によって、筒部３への打突の衝撃に耐えて、かつ手首の動きを抑制する機能を備える反面、筒部３の動きを制約して手首の返しが滑らかに行えないという欠点を有する。
【００１０】
従って、従来例における剣道用小手１においては、筒部３の動きに柔軟性を持たせて手首の返しを滑らかにして、使い勝手を良好にすることに解決しなければならない課題を有している。
【課題を解決するための手段】
【００１１】
前記従来例の課題を解決するための本考案の要旨は、手が挿入される小手頭と手の内とからなるころも部と、前記小手頭に連設し下部側を開放した筒部と、該筒部に連設し開放した下部側を小手紐で結ぶようにした小手筒とからなる剣道用小手であって、前記筒部には、周回りに沿って飾り糸で縫止した２本又は複数本の手首飾り部が形成されており、該手首飾り部は、表側を形成する表張材と裏側を形成する裏張材との間の緩衝材を薄めに充填して又は充填しないで前記飾り糸で縫止したことである。
【００１２】
また、前記手首飾り部同士の間は、前記表張材と前記裏張材との間に前記緩衝材が充填されて膨出して形成されること、；
を含むものである。
【考案の効果】
【００１３】
本考案に係る剣道用小手によれば、筒部には、周回りに沿って飾り糸で縫止した２本又は複数本の手首飾り部が形成されており、手首飾り部は、表側を形成する表張材と裏側を形成する裏張材との間の緩衝材を薄めに充填して又は充填しないで飾り糸で縫止したことによって、手首飾り部とその近傍が肉薄で曲がり易くなる。その結果、筒部が曲がり易くて、手首の返しが滑らになり、使い勝手が良好になるという優れた効果を奏する。
【００１４】
また、手首飾り部同士の間は、表張材と裏張材との間に緩衝材が充填されて膨出して形成されることによって、筒部への打突の衝撃がかなり緩和されるという優れた効果を奏する。
【図面の簡単な説明】
【００１５】
【図１】本考案に係る剣道用小手１１の斜視図である。
【図２】本考案に係る剣道用小手１１の斜視図である。
【図３】筒部１３の断面図である。
【図４】従来例に係る剣道用小手１の斜視図である。
【考案を実施するための形態】
【００１６】
次に、本考案の実施の形態について図面を参照しながら説明する。まず、図１及び図２において、符号１１は剣道用小手を示し、この剣道用小手１１は、手先を入れるころも部１２と、ころも部１２に連設されて肉厚に形成されたけら１５と、けら１５に連設されて手首の周囲を覆う筒部１３と、筒部１３に連設されて前腕を覆う小手筒１４とから構成される。
【００１７】
ころも部１２は、手が挿入される小手頭１２ａと手の内１２ｂとからなり、小手頭１２ａはその表面が牛革又は鹿革などの表張材で覆われていると共に、内部には鹿毛、羊毛などの獣毛、又はフエルト、綿などの緩衝材が充填されている。手の内１２ｂはころも部１２の内側（掌側）に牛革又は鹿革が張設されて形成されている。なお、図１及び図２中の符号１６、１７は、表張材と内部の緩衝材とを縫止する飾り糸を示す。
【００１８】
けら１５は、ころも部１２の後端部と一体に縫着されており、その内部には鹿毛、羊毛などの獣毛、又はフエルト、綿などの緩衝材が充填されて、膨出した状態に形成されている。
【００１９】
筒部１３は、けら１５の後端部と一体に縫着されており、手の甲あるいは手首の周囲を覆う適宜長さを有し、下部側が開放されている。そして、筒部１３の表面は、牛革、鹿革、或いは布材などの表張材で覆われ、その内部には鹿毛、羊毛などの獣毛、又はフエルト、綿などの緩衝材が充填されて肉厚に形成されている。
【００２０】
また、筒部１３には、周回りに沿って飾り糸で縫止した２本又は複数本の手首飾り部１８が形成されている。
【００２１】
手首飾り部１８は、図３に示すように、表側を形成する表張材１９と裏側を形成する裏張材２０との間の緩衝材２１を薄めに充填して、又は充填しないで飾り糸で縫止して形成している。このように、緩衝材２１の充填量を適宜に調節することによって、手首飾り部１８とその近傍に沿って肉薄で曲がり易くなり、換言すれば所謂ヒンジの役目を果たすこととなる。その結果、筒部が曲がり易くて、手首の返しが滑らかになり、使い勝手が良好になる。
【００２２】
また、手首飾り部１８同士の間は、図３に示すように、表張材１９と裏張材２０との間に緩衝材２１が充填されて膨出部２３が形成される。この膨出部２３の存在によって、筒部１３への打突の衝撃が緩和されることとなる。なお、手首飾り部１８に充填される緩衝材２１は、鹿毛、羊毛などの獣毛、又はフエルト、綿などが上げられる。
【００２３】
小手筒１４は、筒部１３の後端部と一体に縫着されており、前腕を覆う適宜長さを有し、その内部には毛布、綿、又はグラスファイバー、綿などの緩衝材が収納されて肉厚に形成され、外側を木綿で包んで刺し子１４ａが施されている。また、下部側を開放して、この開放した部分を小手紐２２結んだ構成になっている。
【００２４】
以上のように構成される剣道用小手１１は、筒部１３の周回りに沿って飾り糸で縫止した２本の手首飾り部１８が形成され、この手首飾り部１８は、表側を形成する表張材１９と裏側を形成する裏張材２０との間の緩衝材２１を充填しないで（又は薄めに充填して）飾り糸で縫止したので、手首飾り部１８とその近傍に沿って肉薄で曲がり易くなる。その結果、筒部が曲がり易くて、手首の返しが滑らかで、使い勝手が良好になる。
【００２５】
また、手首飾り部１８同士の間は、表張材１９と裏張材２０との間に緩衝材２１が充填されて膨出部２３が形成されるので、筒部１３への打突の衝撃がとても緩和されることとなる。
【符号の説明】
【００２６】
１    剣道用小手
２    ころも部
２ａ  小手頭
２ｂ  手の内
３    筒部
４    小手筒
４ａ  刺し子
５    けら
６    飾り部
７    小手紐
１１  剣道用小手
１２  ころも部
１２ａ小手頭
１２ｂ手の内
１３  筒部
１４  小手筒
１４ａ刺し子
１５  けら
１６、１７  飾り糸
１８  手首飾り部
１９  表張材
２０  裏張材
２１  緩衝材
２２  小手紐
２３  膨出部
【図１】
0003202223.tif 000003
【図２】
0003202223.tif 000004
【図３】
0003202223.tif 000005
【図４】
0003202223.tif 000006